(57)【特許請求の範囲】
【請求項１】
ランダムアクセス可能な記録媒体に記録された映像ファイルを部分的に削除する編集機能を有する記録再生装置において、前記編集機能を実行するとき前記映像ファイルをリピート再生する再生手段と、前記映像ファイルの削除部分の開始点および終了点を指定する領域指定手段と、前記開始点および終了点の前後を判断する手段と、終了点が開始点よりも前側に位置する場合、映像ファイルの最初から前記終了点まで、および前記開始点から映像ファイルの最後までの各領域を削除する削除手段とを備えたことを特徴とする記録再生装置。
【請求項２】
開始点が終了点よりも前側に位置する場合、削除手段は、前記開始点から終了点までの領域を削除することを特徴とする請求項１記載の記録再生装置。
【請求項３】
映像ファイルは、複数のブロックから構成され、開始点を含むブロックおよび終了点を含むブロックは、削除される領域から除外されることを特徴とする請求項１または２記載の記録再生装置。
【発明の詳細な説明】
【０００１】
【発明の属する技術分野】
本発明は、映像や音声を記録した映像ファイルに対する編集機能を有する記録再生装置に関する。
【０００２】
【従来の技術】
例えばテレビ放送を録画して再生する記録再生装置において、ランダムアクセス可能な大容量の記録媒体として、ハードディスクやＤＶＤ−Ｒ、ＤＶＤ−ＲＷ等の記録ディスクを使用している。
【０００３】
記録媒体には、番組を録画すると、映像信号を符号化した記録データが保存され、１つの映像ファイルが作成される。なお、映像信号は、音声信号を含むもの、あるいは音声信号を含まないもののいずれかとされ、以下、これらを映像信号と称する。
【０００４】
複数の映像ファイルを記録した記録再生装置では、映像ファイルに対する編集機能を有している。編集機能としては、映像ファイルのコピー、削除、分割、カット、２つ以上の映像ファイルをつなぐといったモードがある。ここで、カットモードは、１つの映像ファイルを部分的に削除するものであり、ユーザが指定した任意の領域が削除される。
【０００５】
カットモードによる編集を行うとき、まず編集したい映像ファイルを指定して、それを再生する。再生中、図５に示すように、削除したい領域のカット開始点Ａを指定し、次にカット終了点Ｂを指定する。なお、図中、Ｃは映像ファイルの最初であるファイル開始点、Ｄは映像ファイルの最後であるファイル終了点である。
【０００６】
上記のようにカット開始点Ａおよびカット終了点Ｂが指定されると、図中斜線で示すカット開始点Ａとカット終了点Ｂとの間の領域が削除される。そして、ファイル開始点Ｃからカット開始点Ａとの間の領域およびカット終了点Ｂとファイル終了点Ｄとの間の領域が連続するようにつながれて、編集後の新しい映像ファイルとなる。
【０００７】
【発明が解決しようとする課題】
ここで、映像ファイルの最初部分の領域および最後部分の領域を削除したい場合、図６に示すように、再生中、初めにカット開始点Ａを指定し、次にカット終了点Ｂを指定する。このとき、カット終了点Ｂがカット開始点Ａよりも前側に位置することになる。なお、ここでの前側、後側は、映像ファイルの再生時間での早い時期、遅い時期に対応する。
【０００８】
上記のように指定したとき、図中斜線で示すカット終了点Ｂからカット開始点Ａまでの領域が削除されてしまい、本来残しておきたい領域が削除されてしまう。
【０００９】
そのため、映像ファイルの最初部分において、ファイル開始点Ｃをカット開始点Ａとして指定し、カット終了点Ｂを指定する。そして、最後部分において、カット開始点Ａを指定し、ファイル終了点Ｄをカット終了点Ｂとして指定する。このように、２回に分けて、カットモードの操作を行わなければならない。ユーザにとっては面倒であり、編集作業に時間がかかりすぎ、効率が悪い。
【００１０】
本発明は、上記に鑑み、カットモードにおける編集作業を容易にできる記録再生装置を提供することを目的とする。
【００１１】
【課題を解決するための手段】
本発明による課題解決手段は、ランダムアクセス可能な記録媒体に記録された映像ファイルの削除部分の開始点および終了点を指定する領域指定手段と、前記開始点および終了点を指定するとき前記映像ファイルをリピート再生する再生手段と、前記開始点から終了点までの領域を削除する削除手段とを備え、映像ファイルを部分的に削除する編集を行うものである。
【００１２】
映像ファイルの最初部分および最後部分を削除する場合、両部分を１つの領域とみなすと、終了点が開始点よりも前側に位置することになる。映像ファイルをリピート再生すれば、最後部分において開始点を指定してから、最初に戻って再生されるので、最初部分において終了点を指定できる。削除手段は、映像ファイルの最初から終了点まで、および開始点から映像ファイルの最後までの各領域を削除する。すなわち、各部分が連続するような状態にすれば、１度の操作によって、映像ファイルにおける２箇所の部分を削除することができる。
【００１３】
また、映像ファイルの削除部分の開始点および終了点を指定する領域指定手段と、終了点が開始点よりも前側に位置する場合、映像ファイルの最初から終了点まで、および開始点から映像ファイルの最後までの各領域を削除する削除手段とを備えたものとしてもよい。このとき、映像ファイルを再生しながら、開始点および終了点を指定することにより、先に終了点が指定され、後で開始点が指定される。なお、ここでの再生は、リピート再生も含む。これによっても、１度の操作で映像ファイルの最初部分および最後部分を削除することができる。
【００１４】
ところで、映像ファイルは、複数のブロックから構成されており、映像ファイルを部分的に削除する編集機能では、指定された開始点あるいは終了点を含むブロックは削除しないようになっている。映像ファイルの最初のブロックあるいは最後のブロックを削除したい場合、これらのブロックを指定しても削除されない。
【００１５】
そこで、最後のブロックを開始点に指定し、最初のブロックの１つ後のブロックを終了点に指定すれば、最初のブロックを削除することができる。同様に、最後のブロックの１つ前のブロックを開始点に指定し、最初のブロックを終了点に指定すれば、最後のブロックを削除することができる。
【００１６】
【発明の実施の形態】
本発明の一実施形態の記録再生装置を図１に示す。本記録再生装置は、ランダムアクセス可能な記録媒体１としてハードディスクを備え、チューナ２、映像音声処理部３、記録再生部４、入力部５、制御部６から構成される。
【００１７】
地上波放送や衛星放送からの電波はチューナ２に入力される。チューナ２は、選局されたチャンネルの電波を選択して、受信した映像信号を映像音声処理部３に出力する。映像音声処理部３では、映像信号の復調やデジタル信号への変換を行い、デジタルの映像信号を符号化して記録再生部４に出力する。記録再生部４では、ハードディスク１の所定の領域に映像ファイルを作成し、符号化された映像信号を書き込む。このようにして、ハードディスク１に番組が記録される。
【００１８】
記録した番組を再生するときは、記録再生部４がハードディスク１から映像ファイルを読み出して、映像音声処理部３に出力する。映像音声処理部３では、符号化された映像信号を復号し、アナログ信号に変換して、映像信号をモニター等の表示部７やスピーカに出力する。
【００１９】
入力部５は、リモートコントローラあるいは装置本体の操作パネルとされ、番組の記録、再生、あるいは映像ファイルの編集の指示を行う。制御部６は、入力部５から入力された内容に基づいてチューナ２、映像音声処理部３、記録再生部４、表示部７を制御する。
【００２０】
制御部６では、映像ファイルに対する編集機能を有しており、映像ファイルをコピーするコピーモード、不要な映像ファイルを削除する削除モード、映像ファイルを２つに分割する分割モード、２つ以上の映像ファイルを１つに結合するつなぐモード、映像ファイル中の不要部分を削除するカットモードをそれぞれ実行する。
【００２１】
制御部６は、カットモードにおいて、リピート再生（連続再生）モードを実行して、映像ファイルに対してカット開始点Ａが指定され、次にカット終了点Ｂが指定された時点で、カット開始点Ａとカット終了点Ｂとの間の領域を削除するように制御を行う。
【００２２】
カットモードの動作を図２のフローチャートに基づいて説明する。入力部５において編集メニューからカットモードが選択されると、記録されている映像ファイルの一覧を表示する。ここから編集対象となる映像ファイルが選択されると、その映像ファイルのリピート再生が自動的に開始される。
【００２３】
再生画面を見ながら、削除したい場面でカット開始点Ａを選択する。再生が一時停止して、確認画面となる。確認後決定することにより、カット開始点Ａが指定される。このとき、タイムコードを取得して、ポイント１として、メモリに一時保存する。タイムコードは、映像ファイルの最初からの再生時間を示すカウンタのことである。
【００２４】
その後、再生が自動的に始まり、同様にカット終了点Ｂが指定されると、タイムコードを取得して、ポイント２とする。その後、カットコマンドが実行され、図５に示すように、カット開始点Ａとカット終了点Ｂとの間の領域が削除され、カットモードが終了する。
【００２５】
また、カット開始点Ａを指定後、カット終了点Ｂが指定されずに、映像ファイルの最後まで再生されると、最初から再生が始まる。そして、映像ファイルの最初部分において、上記と同様にカット終了点Ｂを指定すると、図３に示すように、カット終了点Ｂがカット開始点Ａよりも前側に位置する。
【００２６】
このとき、制御部６では、タイムコードをパラメータにして、カット開始点Ａとカット終了点Ｂの前後を判断する。ポイント１＜ポイント２ならば、図５に示すように各点が指定されたと判断して、カット開始点Ａとカット終了点Ｂとの間の領域を削除する。ポイント１＞ポイント２ならば、図３に示すように各点が指定されたと判断して、ファイル開始点Ｃとカット終了点Ｂとの間の領域およびカット終了点Ｂとファイル終了点Ｄとの間の領域をそれぞれ削除する。
【００２７】
すなわち、リピート再生を行うことにより、ファイル開始点Ｃおよびファイル終了点Ｄは単に通過点としてみなされ、カット開始点Ａからカット終了点Ｂまでの間で、ファイル終了点Ｄおよびファイル開始点Ｃを含んだ領域が確実に削除される。
【００２８】
ところで、記録媒体に記録される映像ファイルは、例えば０．５秒毎のブロックを最小単位として、複数のブロックから構成される。そして、カットモードにおいて、図４に示すように、指定したカット開始点Ａあるいはカット終了点Ｂを含むブロックは残るように、両ブロックに挟まれたブロックが削除される。そのため、ファイル開始点Ｃをカット開始点Ａとして指定した場合、あるいはファイル終了点Ｄをカット終了点Ｂとして指定した場合、ファイル開始点Ｃを含む最初のブロックあるいはファイル終了点Ｄを含む最後のブロックが削除されずに残ってしまう。これに対し、上記のようにカットモードを実行することにより、ファイル開始点Ｃを含む最初のブロックあるいはファイル終了点Ｄを含む最後のブロックは削除され、編集後の新しい映像ファイルを再生しても、不要な映像が画面に現れることはない。
【００２９】
なお、本発明は、上記実施形態に限定されるものではなく、本発明の範囲内で上記実施形態に多くの修正および変更を加え得ることは勿論である。記録媒体は、ハードディスクに限らず、書き換え可能なＤＶＤ、ＣＤ、ＭＤ、半導体メモリであってもよく、このような記録媒体を用いた記録再生装置として、音楽等の音声信号を記録、再生するオーディオ機器としてもよい。
【００３０】
また、制御部では、カットモード時に通常の再生を行うとともに、先にカット終了点Ｂが指定されても、再生を続けるようにして、次にカット開始点Ａを指定できるようにする。この場合、ポイント１＞ポイント２であるが、ファイル開始点Ｃおよびファイル終了点Ｄをそれぞれ１つの指定点とみなし、カット開始点Ａからファイル終了点Ｄまでの領域およびファイル開始点Ｃからカット終了点Ｂまでの領域が指定されたと判断し、ファイル開始点Ｃからカット終了点Ｂまでの領域およびカット開始点Ａからファイル終了点Ｄまでの領域をそれぞれ削除する。すなわち、映像ファイルに対して任意の２点が指定されたとき、カット終了点Ｂがカット開始点Ａよりも前側に位置する場合には、常にカット開始点Ａより後側を削除する、かつカット終了点Ｂより前側を削除するように編集の制御を行う。
【００３１】
これによっても、カット開始点Ａからカット終了点Ｂまでの間で、かつファイル終了点Ｄおよびファイル開始点Ｃを含んだ領域を削除できる。しかも、リピート再生する場合に比べてカット開始点Ａおよびカット終了点Ｂを指定するまでの時間を短縮できる。この場合、ファイル開始点Ｃおよびファイル終了点Ｄは仮想的に指定されたものであるので、これを含むブロックである最初のブロックおよび最後のブロックは削除される。
【００３２】
【発明の効果】
以上の説明から明らかな通り、本発明によると、映像ファイルの最初部分と最後部分を削除したいとき、リピート再生しながら開始点および終了点を指定することにより、１度の操作で両方の部分を削除することができ、操作の簡略化、操作時間の低減を図れる。
【図面の簡単な説明】
【図１】本発明の一実施形態の記録再生装置の概略ブロック図
【図２】カットモードの動作フローチャート
【図３】終了点が開始点より前側に位置するとき、最初部分および最後部分を削除される映像ファイルを示す図
【図４】映像ファイルにおける指定領域と削除されるブロックとの関係を示す図
【図５】部分的に削除される映像ファイルを示す図
【図６】終了点が開始点より前側に位置するとき、部分的に削除される従来の映像ファイルを示す図
【符号の説明】
１    ハードディスク
３    映像音声処理部
４    記録再生部
５    入力部
６    制御部
７    表示部
Ａ    カット開始点
Ｂ    カット終了点
Ｃ    ファイル開始点
Ｄ    ファイル終了点
【図１】
0004040907.tif 000002
【図２】
0004040907.tif 000003
【図３】
0004040907.tif 000004
【図４】
0004040907.tif 000005
【図５】
0004040907.tif 000006
【図６】
0004040907.tif 000007